(57)【特許請求の範囲】
【請求項１】
バックライト表示機能を持つ表示部を有する第１の筐体と、
前記第１の筐体と接続され、入力部を有する本体側の第２の筐体と、
前記第１の筐体と前記第２の筐体が重なりあった第１の状態から回動、又は回転、又はスライドによって移動する第２の状態に変化したことを検出する状態検出部と、
前記状態検出部によって前記第１の状態から前記第２の状態への状態変化が検出された時であって前記表示部に待ち受け画面が表示される状態である場合に、前記バックライト表示機能の輝度又は照度を通常よりも低い値で点灯して前記表示部を照明するように制御する制御手段と、
を有することを特徴とする移動通信機器。
【請求項２】
前記制御手段は、前記点灯状態で前記入力部からデータ入力又は操作機能入力が行われた場合、前記バックライト表示機能を通常の輝度又は照度で点灯して前記表示部を照明することを特徴とする請求項１に記載の移動通信機器。
【請求項３】
表示部を有する第１の筐体と、
前記第１の筐体と接続され、入力部を有する本体側の第２の筐体と、
前記第１の筐体と前記第２の筐体が重なりあった第１の状態から受信又は発信のために回動、又は回転、又はスライドによって移動する第２の状態に変化したことを検出する状態検出部と、
前記表示部を照明する照明部と、
前記受信時の着信応答を行うために前記第２の状態に移動させた場合は、前記照明部を第１の輝度に設定して点灯して前記表示部を照明し、前記状態検出部によって前記第１の状態から前記第２の状態への状態変化が検出された時であって前記表示部に待ち受け画面が表示される状態である場合は、前記照明部を前記第１の輝度よりも低い第２の輝度に設定して点灯して前記表示部を照明するように制御する制御手段と、
を有することを特徴とする移動通信機器。
【請求項４】
前記制御手段は、前記照明部を前記第２の輝度で点灯している時に、データ通信を行ったり、前記入力部からデータ入力又は操作機能入力が行われた場合、前記照明部を前記第１の輝度に設定して点灯して前記表示部を照明することを特徴とする請求項３に記載の移動通信機器。
【請求項５】
バックライト表示機能を持つ表示部を有する第１の筐体と、
前記第１の筐体と接続され、照明部によって照明される入力部を有する本体側の第２の筐体と、
前記第１の筐体と前記第２の筐体が重なりあった第１の状態から回動、又は回転、又はスライドによって移動する第２の状態に変化したことを検出する状態検出部と、
前記状態検出部によって前記第１の状態から前記第２の状態への状態変化が検出された時であって前記表示部に待ち受け画面が表示される状態である場合に、前記バックライト表示機能と前記照明部の輝度又は照度を通常よりも低い値で点灯してそれぞれ前記表示部と前記入力部を照明するように制御する制御手段と、
を有することを特徴とする移動通信機器。
【請求項６】
表示部を有する第１の筐体と、
前記第１の筐体と接続され、複数のキーに対応して設けられる複数の照明手段の少なくとも一部又は全部によって照明される入力部を有する本体側の第２の筐体と、
前記第１の筐体と前記第２の筐体が重なりあった第１の状態から受信又は発信のために回動、又は回転、又はスライドによって移動する第２の状態に変化したことを検出する状態検出部と、
前記表示部を照明するバックライト部と、
前記受信時の着信応答を行うために前記第２の状態に移動させた場合は、前記バックライト部を第１の輝度に設定して点灯して前記表示部を照明すると共に前記複数の照明手段の全部を点灯して前記入力部を照明し、前記状態検出部によって前記第１の状態から前記第２の状態への状態変化が検出された時であって前記表示部に待ち受け画面が表示される状態である場合は、前記バックライト部を前記第１の輝度よりも低い第２の輝度に設定して点灯させ前記表示部を照明すると共に前記複数の照明手段の一部を点灯して前記入力部を照明するように制御する制御手段と、
を有することを特徴とする移動通信機器。
【請求項７】
有機ＥＬデバイスによる表示部を有する第１の筐体と、
前記第１の筐体と接続され、入力部を有する本体側の第２の筐体と、
前記第１の筐体と前記第２の筐体が重なりあった第１の状態から回動、又は回転、又はスライドによって移動する第２の状態に変化したことを検出する状態検出部と、
前記状態検出部によって前記第１の状態から前記第２の状態への状態変化が検出された時であって前記表示部に待ち受け画面が表示される状態である場合に、前記有機ＥＬデバイスの表示に係る電流値を通常より低い値に設定して表示するように制御する制御手段と、
を有することを特徴とする移動通信機器。
【請求項８】
有機ＥＬデバイスによる表示部を有する第１の筐体と、
前記第１の筐体と接続され、入力部を有する本体側の第２の筐体と、
前記第１の筐体と前記第２の筐体が重なりあった第１の状態から受信又は発信のために回動、又は回転、又はスライドによって移動する第２の状態に変化したことを検出する状態検出部と、
前記受信時の着信応答を行うために前記第２の状態に移動させた場合は、前記有機ＥＬデバイスの表示に係る電流値を第１の電流に設定して点灯して表示し、前記状態検出部によって前記第１の状態から前記第２の状態への状態変化が検出された時であって前記表示部に待ち受け画面が表示される状態である場合は、有機ＥＬデバイスの表示に係る電流値を、前記第１の電流よりも低い第２の電流に設定して点灯して前記表示部を照明するように制御する制御手段と、
を有することを特徴とする移動通信機器。
【発明の詳細な説明】
【技術分野】
【０００１】
本発明は、表示部又は、表示部のバックライトの省エネを図る移動通信機器に関する。
【背景技術】
【０００２】
従来の携帯電話やＰＤＡ等の移動通信機器では、本体にヒンジ部を設けて開閉可能な構造をしている。より具体的には、ヒンジ部によって、光センサーが設けられたディスプレイ側筐体と本体キーボード側筐体に分けられている。そして、例えば本体キーボード側筐体に設けられる制御回路には開閉検出装置が内蔵され、重なり合う２つの筐体を開くと、例えば内側にキーボードとディスプレイが露出する構造となっている。
【０００３】
この従来の移動通信機器には、２つの筐体を開いたときに内蔵する光センサーで周りの明るさを判断し、周りが明るい場合は、表示部のバックライトを点灯させないよう制御を行い、周りが暗い場合には、表示部のバックライトを点灯させるよう制御を行うものがある。さらに、表示部を照明しているバックライトは、点灯後、所定の時間内に着信やキー入力がなかった場合には消灯されるように制御され、その消灯後にキー入力があった場合は、再びバックライトを点灯させるように制御を行うものがある（例えば、特許文献１参照。）。
【特許文献１】特開２００２−５７７７６号公報
【発明の開示】
【発明が解決しようとする課題】
【０００４】
しかしながら、上記従来の移動通信機器に係る発明では、筐体開閉時には、バックライトを点灯するか消灯するかの状態でしか制御が行われておらず、バックライトを点灯している時の輝度は非常に明るく設定されており、多くの消費電力を費やしてしまう状況を引き起こしていた。このため、バッテリーの消耗を早める原因となっていた。だからと言って、バックライトが点灯しないように設定していると、周辺の照度が暗い場所では文字が読みにくくなるという問題があった。
【０００５】
そこで、本発明は上記問題点を解決するためになされたもので、表示部又は、表示部のバックライトの明るさを複数段階に設定できるようにして、ユーザの使用状況に応じたレベルの輝度又は照度で点灯することにより、消費電力を抑えることができる移動通信機器を提供することを目的とする。
【課題を解決するための手段】
【０００６】
上記目的を達成するために、本発明による移動通信機器は、バックライト表示機能を持つ表示部を有する第１の筐体と、前記第１の筐体と接続され、入力部を有する本体側の第２の筐体と、前記第１の筐体と前記第２の筐体が重なりあった第１の状態から回動、又は回転、又はスライドによって移動する第２の状態に変化したことを検出する状態検出部と、前記状態検出部によって前記第１の状態から前記第２の状態への状態変化が検出された時であって前記表示部に待ち受け画面が表示される状態である場合に、前記バックライト表示機能の輝度又は照度を通常よりも低い値で点灯して前記表示部を照明するように制御する制御手段とを有することを特徴とする。
【０００７】
また、上記目的を達成するために、本発明による移動通信機器は、
有機ＥＬデバイスによる表示部を有する第１の筐体と、前記第１の筐体と接続され、入力部を有する本体側の第２の筐体と、前記第１の筐体と前記第２の筐体が重なりあった第１の状態から回動、又は回転、又はスライドによって移動する第２の状態に変化したことを検出する状態検出部と、前記状態検出部によって前記第１の状態から前記第２の状態への状態変化が検出された時であって前記表示部に待ち受け画面が表示される状態である場合に、前記有機ＥＬデバイスの表示に係る電流値を通常より低い値に設定して表示するように制御する制御手段とを有することを特徴とする。
【発明の効果】
【０００８】
本発明によれば、状態検出部によって状態変化が検出された時には表示部又は、表示部のバックライトを通常よりも低い輝度で点灯させることができるため、ユーザには不便さを与えることなく消費電力を節約することができ、その結果バッテリーの消耗を抑える事ができる。
【発明を実施するための最良の形態】
【０００９】
以下、本発明の実施例を、図面を参照して説明する。
【実施例】
【００１０】
図１は、本発明を適用した移動通信機器機の外観を示す図である。上筐体１０３の内側にはバックライト機能を持つ表示部１０４が設けられ、下筐体１０６の内部には制御部本体が設けられ、また内側にはキーボード１０７が設けられている。そして、図１では上筐体１０３と下筐体１０６の、それぞれ開状態、閉状態を示している。上筐体１０３と下筐体１０６とはヒンジ部１０５によって開閉自在に連結されており、上筐体１０３と下筐体１０６とは、開閉角度がほぼ１８０度（開状態）からほぼ０度（閉状態）の間で開閉される。
【００１１】
そして、上筐体１０３と下筐体１０６が重なり合った閉状態にある場合、表示部１０４とキーボード１０７とは筐体内面に位置することになる。したがって、使用者は、上筐体１０３を１８０度回動した状態に設定して、表示部１０４を目視しながらキーボード１０７を操作する。
【００１２】
また図1に示したように、上筐体１０３の外面には無線通信に用いられるアンテナ１０
１が設置され、上筐体１０３の内部には受話に用いられるスピーカ１０２が設置されている。さらに、下筐体１０６の下側には、送話や音声入力に用いられるマイク１０８が設置されている。表示部１０４は、例えば液晶ディスプレイＬＣＤや有機ＥＬ等が用いられる。キーボード１０７には、数字、文字、記号等を入力するデータキーの他に、クロスキーや電源キー、機能キー等が設けられている。
【００１３】
図２は、この移動通信機器機の内部構成を示すブロック図である。  
この移動通信機器機は、基地局（図示せず）との間で無線通信を行うアンテナ１０１と、アンテナ１０１が受信した信号を受けて制御部１１４へ送出し又は、制御部１１４から受けた信号をアンテナ１０１へ送出する無線処理部１１６と、受話用のスピーカ１０２と、使用者からの音声を入力するマイク１０８と、マイク１０８によって入力された音声信号を受けて制御部１１４へ送出し、またアンテナ１０１で受信した音声信号を無線処理部１１６、制御部１１４を介してスピーカ１０２へ出力する音声処理部１１５とを有している。
【００１４】
また、上筐体１０３と下筐体と１０６が開状態にあるか、閉状態にあるかを検出してその検出結果を制御部１１４に送出する筐体開閉検出部１１９と、少なくともバックライト１１２を点灯する際の輝度又は照度の情報や、自動消灯時間、ユーザ登録テーブル、各種のデータフォルダ等を記憶する記憶部１１８と、時刻を計数して制御部１１４に出力する時計部１１０と、キーボード１０７から入力された情報およびアンテナ１０１から受信した情報を制御部１１５等を介して受信して、表示部１０４へ送出する表示処理部１０９と、表示処理部１０９から受けた情報を可視的に表示する表示部１０４と、制御部１１４の制御にしたがって表示部１０４を照明するバックライト１１２の点灯制御を行うバックライト処理部１１３とを有している。
【００１５】
また、キーボード１０７から入力された情報を制御部１１４へ送出する入力処理部１１１と、上筐体１０３にかかる加速度を検出し結果を傾き検出処理部１２０へ送信する加速度センサー部１２１と、加速度センサー部１２１から入力された情報を制御部１１４へ送信する傾き検出処理部１２０と、例えば上筐体１０３の周囲の照度を測定し、測定結果を制御部１１４へ入力する照度センサー部１１７とを有している。なお、制御部１１４は、少なくとも表示処理部１０９、時計部１１０、入力処理部１１１、バックライト処理部１１３、音声処理部１１５、無線処理部１１６、照度センサー１１７、記憶部１１８、筐体開閉検出部１１９、傾き検出処理部１２０とに接続され、装置全体の制御を司る。
【００１６】
上記のように構成された移動通信機器機による、本発明の表示部とバックライト１１２、バックライト処理部１１３によるバックライト機能の動作を説明する。
【００１７】
まず、本発明を適用した移動通信機器機のバックライト１１２は、バックライト処理部１１３に基づいて、少なくとも２段階の輝度で表示部１０４を照明するように構成されている。即ち、第１の輝度は、通常のオペレーション（例えば、移動通信機器機から電話の発信、電子メールの発信、或いはネットワークへの接続通信等の発信を行う操作）を行うときの通常輝度による明るい照明である。第２の輝度は、第１の輝度より低い輝度（好ましくは１／２程度）による微灯での照明である。
【００１８】
例えば、単なる確認のために、移動通信機器機の画面を覘く行為にあっては、待ち受け画面が表示部１０４に表示されるだけであり、画面が読み取れる明るさであれば操作に支障がない。このような場合、第２の輝度に設定したバックライト１１２によって表示部１０４を照明すれば、その分、消費電力を削減することが可能となる。
【００１９】
これを実現するために、記憶部１１８にはバックライト１１２を点灯する際の輝度又は照度の情報が記憶されており、上記操作であることを判別すると、制御部１１５は記憶部１１８から輝度又は照度の情報を読み出してバックライト処理部１１３に出力する。そして、バックライト処理部１１３は、受信した輝度又は照度の情報から表示部１０４を第２の輝度（微灯）で照明するようにバックライト１１２の電力を制御する。
【００２０】
ここで、記憶部１１８にバックライト１１２を点灯する際の輝度又は照度の情報を記憶する方法のいくつかを説明する。例えば、バックライト１１２の輝度がｎ（ｎは２以上の整数）段階用意されていると想定すると、出荷時にｎ−ｍ（ｍはｎ未満、１以上の整数）段階目で点灯させることを記憶部１１８に記憶させる方法。使用者がキーボード１０７からの操作にてｎ−ｍ段階目で点灯させることを記憶部１１８に記憶させる方法。照度センサー部１１７からの出力に基づいて制御部１１４が記憶部１１８に記憶させる方法等がある。具体的には、照度センサー部１１７が周囲の照度を測定し、その測定値を制御部１１４に送信する。そして、上記ｎ＝５と想定した場合、制御部１１４は内部に保持する最大基準値「１００」と比較して、照度センサー部１１７の測定値が「０〜２０」の範囲であった場合は輝度１で点灯させるように記憶部１１８に記憶する。また、「２１〜４０」の範囲では輝度２、「４１〜６０」の範囲では輝度３、「６１〜８０」の範囲では輝度４で点灯させるように記憶部１１８に記憶する。この場合、「８１〜１００」の範囲は、バックライト１１２をフルパワーで点灯するものとして取り扱い、本発明の段階制御を行わないとして処理される。
【００２１】
また、表示部１０４に有機ＥＬデバイスを用いた場合には、バックライト１１２、バックライト処理部１１３にて行われる処理を、表示処理部１０９、表示部１０４で処理することとしても良い。この場合は、有機ＥＬデバイスに電流を流すことによって、発光層を発光させ、赤、緑、青、それぞれの要素によって光に色をつけ、有機ＥＬデバイスに流す電流値によって輝度の調節を行っている。
【００２２】
例えば、本実施例においては、バックライト１１２の輝度の上げ下げの制御を表示処理部１０９における有機ＥＬデバイスに流す電流値の上げ下げ（電流値の上げ下げは有機ＥＬデバイスの輝度に対応）に対応することとする。本実施例の表示部１０４に有機ＥＬデバイスを用いた場合については、以後、上記のように読み替えるものとする。
【００２３】
図３は、第１の実施形態によるバックライト１１２の制御動作を示すフローチャートである。  
移動通信機器機の図示しない主電源が投入されると、動作開始状態となる（ステップＳ３０１）。使用者は、何らかのアクションに基づいて上筐体１０３と下筐体１０６を開閉したとする。制御部１１４は、筐体開閉検出部１１９からの信号を受信し、上筐体１０３と下筐体１０６が閉状態から開状態に状態変化したことを判断する（ステップＳ３０２のＹｅｓ）。状態変化がなければステップＳ３０２の状態で待機している。
【００２４】
制御部１１４は、無線処理部１１６からの信号を受けて、本機の動作状態が待ち受け状態か否かの判断を行なう（ステップＳ３０３）。例えば、無線処理部１１６から何も信号がなければ、表示部１０４には単に待ち受け画面が表示される。また、無線処理部１１６からの電話の着信が未受信である場合、又は電子メールの着信が未読である場合、それらの「着信あり」のインフォメーションが待ち受け画面に表示される。しかし、メールの着信中や電話の着信中等の場合、「着信中」のインフォメーション画面が待ち受け画面の代わりに表示される。
【００２５】
制御部１１４は無線処理部１１６からの信号に基づき「待ち受け」状態ではないと判断した場合（ステップＳ３０３のＮＯ）、記憶部１１８に記憶されている輝度又は照度の情報を読み出して、バックライト処理部１１３は、表示部１０４を通常輝度（第１の輝度）で照明するようバックライト１１２を制御する。さらに、制御部１１４は記憶部１１８から自動消灯時間を読み出すと共に、時計部１１０を起動して通常の標準輝度（第１の輝度）での照明時間の測定を開始する（ステップＳ３１０）。この場合の以後の詳細な動作は後述する。
【００２６】
筐体を閉状態から開状態に開いた時に、上記の処理手順で制御部１１４によって「待ち受け」状態であると判断した場合（ステップＳ３０３のＹｅｓ）、記憶部１１８に記憶されている輝度又は照度の情報を読み出して、バックライト処理部１１３に設定する。その結果、バックライト処理部１１３は、表示部１０４を微灯（第２の輝度）で照明するようバックライト１１２を制御する。さらに、制御部１１４は記憶部１１８から自動消灯時間を読み出すと共に、時計部１１０を起動して微灯での照明時間の測定を開始する（ステップＳ３０４）。
【００２７】
制御部１１４は、バックライト１１２を微灯で点灯して表示部１０４を照明している間にキー入力等が行われイベントが検出されると（ステップＳ３０５のキー入力）、ステップＳ３１０によって通常の標準輝度（第１の輝度）でバックライト１１２を点灯するようバックライト処理部１１３を制御する。ここでいうイベントとは、キーボード１０７によるキー操作、マイク１０８からの音声入力、加速度センサー部１２１による傾き入力等である。
【００２８】
この場合の、具体的な操作としては、通話のための電話番号の読出し、電子メールの閲覧やメール作成と送信、カメラによる撮影、インターネットへのアクセス、各種機能の設定又は変更等である。これらのイベントの検出により、通常の標準輝度（第１の輝度）でバックライト１１２が点灯した場合の以後の動作については、後述する。
【００２９】
上記ステップＳ３０５のイベント操作検出において、何らかのアクションによって、移動通信機器が再び閉じられ、筐体開閉検出部１１９が開状態から閉状態に状態変化したことを検出すると（ステップＳ３０５の閉イベント）、制御部１１４は、バックライト１１２を消灯するようバックライト処理部１１３を制御し（ステップＳ３０６）、処理を終了する。
【００３０】
上記ステップＳ３０５のイベント検出において、上記イベントが検出されない時は（ステップＳ３０５のなし）、ステップＳ３０７とステップＳ３０５を監視しながらイベント検出と微灯照明時間の測定を引き続き行う。そして、制御部１１４は、時計部１１０からの経過時間から自動消灯時間を越えたと判断すると、バックライト１１２を消灯するようにバックライト処理部１１３を制御する（ステップＳ３０８）。
【００３１】
制御部１１４は、バックライト１１２消灯後、再びイベント操作検出を行い、イベント操作を検出できない場合は、引き続き検出を行う。何らかのアクションによって筐体が閉じられ、筐体開閉検出部１１９が開状態から閉状態に状態変化したことを検出すると、処理を終了する（ステップＳ３０９）。
【００３２】
ステップＳ３０９において、キー入力等によるイベントを検出した場合、制御部１１４は同様に記憶部１１８に記憶されている輝度又は照度の情報を読み出して、バックライト１１２によって表示部１０４を通常の標準輝度（第１の輝度）で照明するようバックライト処理部１１３を制御する。さらに、制御部１１４は記憶部１１８から自動消灯時間を読み出すと共に、時計部１１０を起動して通常の標準輝度（第１の輝度）での照明時間の測定を開始する（ステップＳ３１０）。
【００３３】
ステップＳ３１０の実行後、制御部１１４はステップＳ３１１と同様に次のイベントを監視する。そして、移動通信機器が閉じられたことを筐体開閉検出部１１９からの出力信号により検出すると（ステップＳ３１１の閉イベント）、バックライト１１２を消灯するようバックライト処理部１１３を制御し（ステップＳ３１２）、処理を終了する。また、キー入力等の入力操作が行われている間はそのイベントを継続して検出してステップＳ３１０の処理に戻り、バックライト１１２を通常の標準輝度で点灯する動作を継続する。更に、イベントが何も検出されない時は、ステップＳ３１３とステップＳ３１１を監視しながらイベント検出と微灯照明時間の測定を引き続き行う。そして、制御部１１４は、時計部１１０からの経過時間から自動消灯時間を越えたと判断すると、バックライト１１２を第２の輝度（微灯）になるようにバックライト処理部１１３を制御する（ステップＳ３１４）。
【００３４】
ステップＳ３１４の実行後、制御部１１４はステップＳ３１５にて、次のイベントを同様に監視する。その後のステップＳ３１５〜Ｓ３１８の動作は、上述したステップＳ３０５〜３０９の動作と同じであるため、その説明は省略する。
【００３５】
本実施形態では、折りたたみ型の移動通信機器を例に説明したが、２つの筐体の位置関係を変化させることができる移動通信機器であれば、様々な形態の移動通信機器に適応可能である。例えば、図５に示したスライド型の移動通信機器に対して、適用することができる。スライド型の移動通信機器では上筐体４０１と下筐体４０５が、スライド部５０６によって上下に移動する構造となり、入力部４０４が上筐体４０１の下側で隠れた閉状態であっても、表示部４０３が外部に露出する構造である。
【００３６】
図６は、このスライド型の移動通信機器の実施形態によるバックライト１１２の制御動作を示すフローチャートである。ただし、図３の動作フローによって制御しても構わない。
【００３７】
図６の動作フローは、図３の動作フローのステップＳ３０６，Ｓ３０９，Ｓ３１２，Ｓ３１８の処理又は判断がない点で異なっている。そして、バックライトを微灯又は通常の標準輝度（第１の輝度）で点灯させた後のステップＳ５０５、Ｓ５０９、Ｓ５１３における制御部１１４のイベント検出動作が、図３の動作と異なる。つまり、バックライト１１２が微灯で点灯（ステップＳ５０４，Ｓ５１２）又は、通常の標準輝度（第１の輝度）で点灯（ステップＳ５０８）した後、制御部１１４でイベント検出を行う時に、筐体の閉状態への状態変化はイベントとして検出せず、キー入力等の入力があった場合にのみ、制御部１１４がバックライト１１２を通常の標準輝度（第１の輝度）で点灯させると共に、自動消灯時間を計測するように制御する。
【００３８】
さらに、他の実施形態としては、図６のようなターンオーバー型の移動通信機器が挙げられる。これは、図１の折りたたみ型の移動通信機器のヒンジ部１０５に、折りたたみ方向の軸に対して垂直方向の軸を加えて、ヒンジ部６０５を２軸構成するものである。そして、図６の様に、表示部６０４を外部へ露出したまま閉状態とすることが可能な形態である。この実施例では、図３に示した動作フローに従って処理を行うことができる。さらに、表示部６０４を図６の閉状態のように外側に向けた場合は、図５の動作フローのステップＳ５０２を「筐体閉イベント」に読み替えて、同じ動作フローに従って処理を行うこともできる。
【００３９】
また、バックライト１１２とバックライト処理部１１３と同様に、キーボード照明部とキーボード照明処理部を設け、これらを制御部１１４によって、バックライト１１２の点灯状況に連動させて点灯するように制御しても良い。例えば、キーボード１０７の各キー（この場合、１個又は隣接する２個のキー単位でも良い）に対応してバックライト用の照明ランプが設けられる構造では、制御部１１４によって、一個の照明ランプ（中央部のみ）又は２個の照明ランプ（対角線状の２個）又は全個の照明ランプによって照明できるように構成する。そして、例えば受信時の着信応答を行うために開閉した状態に移動させた場合はバックライト１１２を通常の標準輝度に設定して点灯して表示部１０４を照明すると共に照明ランプも全個を点灯してキーボード１１２を照明するようにする。また、筐体開閉検出部１１９によって状態変化が検出された時であって表示部１０４に待ち受け画面が表示される状態である場合は、バックライト１１２を通常の標準輝度よりも低い輝度（微灯）に設定して点灯させ表示部１０４を照明すると共に、中央部の照明ランプの１個又は対角線上の照明ランプ２個を点灯（微灯）してキーボード１０７を照明するようにする。これにより、キーボード１０７にバックライト機能を有するものであっても、表示部１０４と連動してキーボード１０７でも微灯制御することができ、省電力化が図れる。
【００４０】
また、本実施例の表示部１０４に有機ＥＬデバイスを用いた場合には、図３、５の「消灯」、「微灯」については、以下のように読み替えるものとする。  
「消灯」とは、有機ＥＬデバイスに電流を送らず、表示部１０４を点灯させない場合をいう。また、「微灯」とは、有機ＥＬデバイスを点灯させる時に流す電流値を、標準輝度で点灯させる時から一定の割合で減らした状態で点灯させることを言う。例えば、標準輝度で所定の色を点灯させる時に、赤、緑、青の要素にそれぞれ、１００、６０、２０の電流値を流すような場合に、この色を「微灯」で点灯させるには、電流値を標準輝度の１０パーセントにして、赤、緑、青のそれぞれの要素に対して、１０、６、２の電流値を流すことを言う。
【００４１】
本発明によれば、折りたたみ型、又はスライド型、又はターンオーバー型など２つの筐体の位置関係を変化させて音声、画像、データの送受信等を行うことができる移動通信機器において、筐体の状態を変化させた時に、待ち受け状態であればバックライトを微灯状態で点灯させ、一定時間操作が無かった場合や筐体が閉状態に変化した場合にはバックライトを消灯させ、また、一定時間以内にボタン押下などのイベントがあった場合には、バックライトを通常の輝度で点灯させるように制御を行うものであり、移動通信機器の動作状況に応じて、バックライトを通常よりも低い輝度で点灯させることができるため、ユーザには不便さを与えることなく消費電力を節約することができ、その結果バッテリーの消耗を抑える事ができる。
【００４２】
なお、本発明の要旨を逸脱しない範囲において、本実施形態を適宜変更又は組み合わせて実施することができる。
【図面の簡単な説明】
【００４３】
【図１】本発明の実施例による折りたたみ型の移動通信機器の外観図。
【図２】本発明の実施例にかかる移動通信機器のブロック図。
【図３】上記折りたたみ型移動通信機器のバックライトの点灯に関する処理フローチャート。
【図４】本発明の実施例のスライド型の移動通信機器の外観図。
【図５】上記スライド型移動通信機器のバックライトの点灯に関する処理フローチャート。
【図６】本発明の実施例のターンオーバー型の移動通信機器の外観図。
【符号の説明】
【００４４】
１０１  アンテナ
１０２  スピーカ
１０３  上筐体
１０４  表示部
１０５  ヒンジ部
１０６  下筐体
１０７  キーボード
１０８  マイク
１０９  表示処理部診断
１１０  時計部
１１１  入力処理部
１１２  バックライト
１１３  バックライト処理部
１１４  制御部
１１５  音声処理部
１１６  無線処理部
１１７  照度センサー部
１１８  記憶部
１１９  筐体開閉検出部
１２０  傾き検出処理部
１２１  加速度センサー部
４０１  上筐体
４０２  スピーカ
４０３  表示部
４０４  入力部
４０５  下筐体
４０６  スライド部
４０７  マイク
６０１  アンテナ
６０２  スピーカ
６０３  上筐体
６０４  表示部
６０５  ヒンジ部
６０６  下筐体
６０７  キーボード
６０８  マイク
【図１】
0005223313.tif 000002
【図２】
0005223313.tif 000003
【図３】
0005223313.tif 000004
【図４】
0005223313.tif 000005
【図５】
0005223313.tif 000006
【図６】
0005223313.tif 000007